(57)【要約】      （修正有）【課題】スローイング動作のように、胴部の下半部に対し、上半部が大きく回転するような動作を行っても、上半部の動きに追随して下半部がズレ動かない、胸部と腹部を覆う保護パッドを備えるスポーツ用プロテクターを提供する。【解決手段】スローイング動作のように、胴部の上半部が身体の鉛直軸周りに回転する際に、胴部の上半部の回転動作を、下半部を覆う保護パッドが阻害しないように、身体の胸部と腹部を覆う保護パッドを、胸部パーツ１と腹部パーツ２の少なくとも２枚のパーツに分割する。【選択図】図４
2010220944.tif 000002
【特許請求の範囲】
【請求項１】
身体の胸部と腹部を覆う保護パッドを備えるスポーツ用プロテクターにおいて、上記保護パッドを胸部パーツと腹部パーツの少なくとも２枚のパーツに分割し、分割したパーツを互いに揺動可能に連結したことを特徴とするスポーツ用プロテクター。
【請求項２】
分割したパーツの分割ラインが、身体の骨盤上部と鳩尾部の間に位置する請求項１記載のスポーツ用プロテクター。
【請求項３】
分割したパーツが、身体の中心軸に対して回転方向、左右方向、前後方向、斜め方向の少なくとも一つの方向に互いに揺動可能に連結されている請求項１又は２記載のスポーツ用プロテクター。
【請求項４】
分割したパーツが胸部パーツと腹部パーツからなり、胸部パーツの下縁と腹部パーツの上縁とに重なり部分を設けた請求項１〜３のいずれかの項に記載のスポーツ用プロテクター。
【請求項５】
野球又はソフトボールの捕手が着用する請求項１〜４のいずれかのスポーツ用プロテクターにおいて、分割したパーツ相互間の隙間間隔が、使用するボールが通過しない距離に設定されていることを特徴とするスポーツ用プロテクター。
【請求項６】
請求項５のスポーツ用プロテクターにおいて、胸部パーツに、首部を保護する首パット部と、肩部を保護する肩パット部を設けたことを特徴とするスポーツ用プロテクター。
【発明の詳細な説明】
【技術分野】
【０００１】
この発明は、野球、ソフトボール、アイスホッケー、フットボールなどの選手や審判が、主に胸部と腹部を保護するために着用するスポーツ用プロテクター、特に野球、ソフトボール用プロテクターに関するものである。
【背景技術】
【０００２】
この種のスポーツ用プロテクターのうち特に代表的なものとしては、野球の捕手が着用するものがある。
【０００３】
野球の捕手は、ショートバウンドした投球やバッターの打ち損じた打球から身体、特に、胴部前面を保護するために、胸部と腹部を覆う保護パッドを備えるプロテクターを着用している。
【０００４】
この野球の捕手が着用するプロテクターとしては、特許文献１〜３に開示されたものがあり、これらは胸部と腹部を覆う保護パッドが一体の一枚のパーツから構成されている。
【先行技術文献】
【特許文献】
【０００５】
【特許文献１】特開２００３−２３０６５２号公報
【特許文献２】特開２００３−２３０６５３号公報
【特許文献３】特開２００３−２９９７６０号公報
【発明の概要】
【発明が解決しようとする課題】
【０００６】
ところで、野球の捕手は、各塁への送球以外にピッチャーへの返球、盗塁の阻止というように、スローイング動作が多く、スローイング動作の際には、胴部の上半部を捩じって、肩部を大きく回転させなければならない。
【０００７】
上記のように、胸部と腹部が一体の一枚のパーツからなるプロテクターを着用している場合には、スローイング動作で胴部の上半部と肩部が大きく回転しながら動くと、この動きに追随して、動きの比較的少ない腰部から下の部分も大きくズレ動く。このように、一枚のパーツからなるプロテクターの場合、胴部の上半部の動きに追随しなければ、スローイング動作の際に、胴部の上半部の動きを胴部の下半部が阻害することになる。
【０００８】
したがって、従来、野球の捕手は、スローイングの動作の支障がでないように、全体的に胴部前面のプロテクターを緩めに着用し、意識的に上下にズレ動くようにしている場合もある。
【０００９】
しかしながら、胴部のプロテクターを上下にズレ動くように緩めに着用すると、走る際にもユッサユッサと上下にプロテクターが揺れるため、プロテクターによって捕手の運動機能全体が阻害されるという問題がある。
【００１０】
また、野球の捕手がプロテクターを緩めに着用すると、プロテクターと身体との隙間からボールが侵入するおそれが生じるため、安全上も問題である。
【００１１】
そこで、この発明は、スローイング動作のように、胴部の下半部に対し、上半部が大きく回転するような動作を行っても、上半部の動きに追随して下半部がズレ動かない、胸部と腹部を覆う保護パッドを備えるスポーツ用プロテクテクターを提供することを課題とするものである。
【課題を解決するための手段】
【００１２】
この発明は、上記の課題を解決するために、身体の胸部と腹部を覆う保護パッドを備えるスポーツ用プロテクターにおいて、保護パッドを胸部パーツと腹部パーツの少なくとも２枚のパーツに分割し、分割したパーツを互いに揺動可能に連結したことを特徴とするものである。
【００１３】
このように、身体の胸部と腹部を覆う保護パッドを、胸部パーツと腹部パーツの少なくとも２枚のパーツに分割し、さらに、分割したパーツを互いに揺動可能に連結することにより、スローイング動作のように、胴部の下半部に対し、上半部が大きく回転するような動作を行う際に、分割したパーツが、それぞれ身体の動きに独立して追随するため、身体の胸部と腹部を覆う保護パッド全体が一体でズレ動くということがない。
【００１４】
したがって、この発明に係るスポーツ用プロテクターは、分割した胸部パーツと腹部パーツをそれぞれ身体にしっかりと固定しても、運動機能を阻害することないので、従来のように、緩めに身体に着用する必要がなく、安全性も高い。
【００１５】
分割したパーツは、分割したパーツが身体の動きにそれぞれ独立して追随するように、身体の中心軸に対して回転方向、左右方向、前後方向、斜め方向の少なくとも一つ以上の方向に揺動するように互いに連結される。
【００１６】
この発明に係るスポーツ用プロテクターは、スローイング動作のように、胴部の上半部が身体の鉛直軸周りに回転する際に、胴部の上半部の回転動作を、下半部を覆う保護パッドが阻害しないように、身体の胸部と腹部を覆う保護パッドを、胸部パーツと腹部パーツの少なくとも２枚のパーツに分割している。このため、保護パッドを上半部と下半部に分割する分割ライン、即ち、胸部パーツの下縁と腹部パーツの上縁のラインは、軸対称、かつ、ほぼ水平で、直線に近似した形状で、身体の骨盤上部と鳩尾部の間に位置することが好ましい。
【００１７】
上記胸部パーツと腹部パーツとの連結位置は、スローイング動作のように、胴部の上半部が身体の中心軸周りに回転する際に、胸部パーツが腹部パーツに独立して揺動可能になるように、中央と両端の３箇所以上とし、両端の連結部材は、中央の連結部材と同等か長くするようにする。また、連結部材は、布や革などのベルトや紐状の柔軟な素材、又は、網目状の素材などを適宜選択して使用する。
【００１８】
この発明に係るプロテクターを野球又はソフトボールの捕手用として使用する場合には、分割したパーツ相互間の隙間間隔は、ボールが隙間を通過しないように、使用するボールの直径よりも十分に小さくする必要がある。
【００１９】
また、野球又はソフトボールの捕手用として使用する場合には、胸部パーツに、首部を保護する首パッド部と、肩部を保護する肩パッド部を設けることが好ましい。
【発明の効果】
【００２０】
この発明においては、上記のように、身体の胸部と腹部を覆う保護パッドを、胸部パーツと腹部パーツの少なくとも２枚のパーツに分割し、さらに、分割したパーツを互いに揺動可能に連結しているので、スローイング動作のように、上半部が大きく回転するような動作を行う際に、分割したパーツが独立して胴部の上半部の回転に追随するため、身体の胸部と腹部を覆う保護パッド全体が一体でズレ動くということを極力防止できる。
【００２１】
したがって、この発明に係るプロテクターは、スローイング動作のように、上半部が大きく回転するような動作に対しても、追随性が良好で、身体のフィット性に富み、安全性が高く、着用者の運動機能を阻害しないという効果を奏する。
【図面の簡単な説明】
【００２２】
【図１】この発明に係るスポーツ用プロテクターを野球の捕手用に適用した実施形態を構成部材に分解して示した背面図である。
【図２】図１の構成部材を連結させて示した背面図である。
【図３】図１の構成部材を連結させて示した正面図である。
【図４】（ａ）（ｂ）は図１の実施形態における腹部パーツに対する胸部パーツの揺動状態を示す図である。
【図５】図３のＡ−Ａ線の拡大断面図である。
【発明を実施するための形態】
【００２３】
この発明の実施形態を、野球又はソフトボールの捕手用のプロテクターを例にして具体的に説明する。
【００２４】
図１及び図２は、この発明に係るプロテクターを背面から見た状態を示し、図１は構成材料を分解した状態で示し、図２は構成材料を連結した状態で示している。また、図３は、構成材料を連結した状態を正面から見た図である。
【００２５】
この発明に係るプロテクターは、身体の胸部と腹部を覆う保護パッドを、図１に示すように、胸部パーツ１と腹部パーツ２の２枚のパーツに分割している。分割数は、２枚に限らず、それ以上であってもよい。
【００２６】
上記胸部パーツ１の下縁と腹部パーツ２の上縁の分割ラインは、軸対称、かつ、ほぼ水平で、直線に近似した形状にしている。より具体的には、胸部パーツ１の下縁は、中央部が直線状に形成され、その両側が下方に少し垂れ下がるように形成されている。一方、腹部パーツ２の上縁は、中央部が直線状に形成され、その直線状部分の両側が上方に突出するように形成されている。そして、胸部パーツ１と腹部パーツ２は、胸部パーツ１の下縁が、腹部パーツ２の上縁に少し重なり、胸部パーツ１の下縁が前面側に、腹部パーツ２が背面側（身体側）に位置するようになっている。この胸部パーツ１と腹部パーツ２の重なりは、腹部パーツ２の中央部が胸部パーツ１の下縁の前面になるようにしてもよい。
【００２７】
この胸部パーツ１の下縁と腹部パーツ２の上縁との間に形成される隙間間隔は、ボールが隙間から侵入して身体を傷つけないように、使用するボールの直径より、十分に狭くする必要がある。因みに、各ボールの最小径として、硬式用ボールは、７２．９ｍｍ 、軟式用ボールは、一般用（Ａ号）が７１．５ｍｍ、中学用（Ｂ号）が６９．５ｍｍ 、少年用（Ｃ号）が６７．５ｍｍ であるから、胸部パーツ１の下縁と腹部パーツ２の上縁との間に形成される隙間間隔は、約５０ｍｍ以下が好ましい。
【００２８】
上記胸部パーツ１の下縁と腹部パーツ２の上縁の分割ラインは、スローイング動作のように、胴部の上半部が身体の鉛直軸周りに回転する際に、胴部の上半部の回転動作を、下半部を覆うプロテクター部材が阻害しないように、身体の骨盤上部と鳩尾部の間に位置するようにしている。
【００２９】
上記胸部パーツ１と腹部パーツ２は、スローイング動作のように、胴部の下半部に対し、上半部が大きく回転するような動作を行っても、分割したパーツが身体の動きにそれぞれ独立して追随するように、身体の中心軸に対して回転方向、左右方向、前後方向、斜め方向の少なくとも一つ以上の方向に揺動するように互いに連結されている。図４（ａ）、（ｂ）は、胸部パーツ１と腹部パーツ２が身体の中心軸を中心にして少なくとも左右方向に揺動可能に連結した状態を示しており、胸部パーツ１は腹部パーツ２に動作を阻害されることなく、胴部の上半部の回転に独立して追随し、腹部パーツ２も胸部パーツ２に追随してズレ動かない。
【００３０】
図４（ａ）は、腹部パーツ２に対し、胸部パーツ１が正面から見て右側に回転した状態を一点鎖線で示し、図４（ｂ）は、腹部パーツ２に対し、胸部パーツ１が正面から見て左側に回転した状態を一点鎖線で示している。
【００３１】
このように、胸部パーツ１と腹部パーツ２は、スローイング動作のように、胴部の上半部が身体の中心軸周りに回転する際に、胸部パーツが腹部パーツに独立して揺動可能になるように連結する必要がある。このため、上記胸部パーツと腹部パーツとの連結位置は、中央と両端の３箇所以上とし、両端の連結部材は、中央の連結部材と同等か長くするようにする。
【００３２】
胸部パーツ１の下縁と腹部パーツ２の上縁の中央部分を連結する連結部材は、矩形の短い布製のベルト３によって形成され、図５の断面図に示すように、ベルト３を谷折りにして、ベルト３の前方の端縁を胸部パーツ１の下縁中央の直線部分に縫合し、ベルト３の背面（身体側）の端縁を腹部パーツ２の上縁中央の直線部分に縫合している。
【００３３】
胸部パーツ１と腹部パーツ２の両端は、細幅の長い布製のベルト４を介して連結されている。このベルト４は、下端が腹部パーツ２の上縁中央の直線部分の両側に形成された突出部に縫合されている。このベルト４の下端の縫合ミシン目は、符号５で示している。そして、このベルト４の上端は、胸部パーツ１の上縁に一体に形成したＵ字形保護部６の先端に、リベット７によって連結される。このリベット７の先端には、プラスチック製の雌バックル８が取り付けられ、この雌バックル８には、後述する背パッド９の雄バックル１０が着脱自在に連結されるようになっている。
【００３４】
上記胸部パーツ１の裏面には、胸部パーツ１を左右に横切るように、両端と中央部分が胸部パーツ２に縫合された布製の広幅の背面ベルト１１が取り付けられ、この背面ベルト１１と胸部パーツ１の間に、腹部パーツ２を連結するベルト４を挿通するようにしている。また、上記胸部パーツ１のＵ字形保護部６の裏面先端寄りの部分にも、Ｕ字形保護部６を左右に横切るように、布製の背面ベルト１２の両端を縫合し、この背面ベルト１２と胸部パーツ１のＵ字形保護部６の裏面間にベルト４を挿通するようにしている。
【００３５】
上記胸部パーツ１に形成したＵ字形保護部６の側方には、必要に応じて一対の面ファスナー１４ａ、１４ｂによって着脱自在に肩パッド１３が取り付けられる。
【００３６】
肩パッド１３には、取付けフラップ１５が設けられ、この取付けフラップ１５の裏面と胸部パーツ１に形成したＵ字形保護部６の裏面に、一対の面ファスナー１４ａ、１４ｂが取り付けられている。
【００３７】
上記胸部パーツ１のＵ字形保護部６の付け根には、着用者の首を保護する首保護パッド１６が設けられている。
【００３８】
次に、腹部パーツ２は、着用者の腹部に伸縮可能な布製の腰ベルト１７によって巻きつけ固定される。腰ベルト１７の一端は、腹部パーツ２の一側に取付けたベルト固定リング１８に、長さ調節可能に取り付けられる。腰ベルト１７の他端には、プラスチックバックルの雄バックル１９が取り付けられ、この雄バックル１９は、腹部パーツ２の他側に取付けたプラスチックバックルの雌バックル２０に着脱自在に装着される。
【００３９】
上記腰ベルト１７の中央には、腰を保護する腰パッド２１を設けている。腰ベルト１７は、腰パッド２１の裏面両側に設けた挿入口２２から腰パッド２０に挿通されている。
【００４０】
上記腰パッド２０の上縁の中央には、背パッド９の連結ベルト２４の下端を長さ調節可能に固定する固定リング２３が取り付けられている。
【００４１】
背パッド９は、背筋に沿う背筋保護部２６と、この背筋保護部２６の上端から肩甲骨の方向に延びる肩甲骨保護部２７とからなる全体としてＹ字形に形成され、背筋保護部２７の下端に連結ベルト２４が取付けられている。肩甲骨保護部２７の先端には、胸部パーツ１のＵ字形保護部６の先端に取り付けた雌バックル８に対して、着脱可能に装着される雄バックル１０が取り付けられている。
【００４２】
背パッド９の雄バックル１０は、伸縮性を有する連結ベルト２５によって肩甲骨保護部２７に取り付けられている。この連結ベルト２５は、背パッド９の肩甲骨保護部２７の表皮に形成した挿入口２８から背パッド９内に挿通されている。
【００４３】
上記胸部パーツ１は、図５の断面図に示すように、凹凸形状を有する表皮１ａと、裏生地１ｂと、表皮１ａと裏生地１ｂとの間に形成される内部空間に収容される、ポリエチレン、ポリウレタン、ＥＶＡ樹脂などの発泡体からなる緩衝材ブロック１ｃとからなり、緩衝材ブロック１ｃが身体に沿うように、表皮１ａと裏生地１ｂと緩衝材ブロック１ｃは、緩衝材ブロック１ｃが複数区画に分割されるように一体にミシン縫合され、周縁部に縁巻き部１ｄが設けられている。このミシン縫合のミシン目２９は、胸部パーツ１の裏面に、破線によって表している。
【００４４】
上記腹部パーツ２も、胸部パーツ１と同様に、凹凸形状を有する表皮２ａと、裏生地２ｂと、表皮２ａと裏生地２ｂとの間に形成される内部空間に収容されるポリエチレン、ポリウレタン、ＥＶＡ樹脂などの発泡体からなる緩衝材ブロック２ｃとからなり、緩衝材ブロック２ｃが身体に沿うように、表皮２ａと裏生地２ｂと緩衝材ブロック２ｃは、緩衝材ブロック２ｃが複数区画に分割されるように一体にミシン縫合し、周縁部に縁巻き部２ｄもミシン縫合している。この腹部パーツ２のミシン縫合によるミシン目３０も、腹部パーツ２の裏面に、破線によって表している。
【００４５】
なお、首保護パッド１６、背パッド９及び腰パッド２０も、胸部パーツ１又は腹部パーツ２と同様に、表皮と裏生地の間に、緩衝材ブロックを挟んだ構造をしている。
【００４６】
次に、胸部と腹部を覆う保護パッドが１枚のパーツからなる従来の捕手用のプロテクターと、この発明に係る胸部と腹部を覆う保護パッドが胸部パーツ１と腹部パーツ２の２枚のパーツに分割されたものとを実際に着用して、スローイング動作の実験を行ったところ、従来の捕手用のプロテクターは、胴部が１枚のパーツからなるので、スローイング動作の際に、胴部の上半部と下半部とがそれぞれ異なる動作量で動くと、動作量の大きい上半部の動きに対応して全体が大きくズレ動くのに対し、この発明に係るプロテクターは、胸部パーツ１は動作量が大きい上半部と一体に大きく動くが、腹部パーツ２は動作量が小さい下半部に対応して少ししか動かず、腹部パーツ２が胸部パーツ１の動きに追随してズレ動かないということを確認することができた。
【符号の説明】
【００４７】
１  胸部パーツ
１ａ  表皮
１ｂ  裏生地
１ｃ  緩衝材ブロック
１ｄ  縁巻き部
２  腹部パーツ２
２ａ  表皮
２ｂ  裏生地
２ｃ  緩衝材ブロック
２ｄ  縁巻き部
３  ベルト
４  ベルト
５  縫合ミシン目
６  Ｕ字形保護部
７  リベット
８  雌バックル
９  背パッド
１０  雄バックル
１１  背面ベルト
１２  背面ベルト
１３  肩バッド
１４ａ、１４ｂ  面ファスナー
１５  取付けフラップ
１６  首保護パッド
１７  腰ベルト
１８  ベルト固定リング
１９  雄バックル
２０  雌バックル
２１  腰パッド
２２  挿入口
２３  固定リング
２４  連結ベルト
２５  連結ベルト
２６  背筋保護部
２７  肩甲骨保護部
２８  挿入口
２９、３０  ミシン目
【図１】
2010220944.tif 000003
【図２】
2010220944.tif 000004
【図３】
2010220944.tif 000005
【図４】
2010220944.tif 000006
【図５】
2010220944.tif 000007